(57)【要約】【目的】実使用環境に近く且つ再現性のある試験条件において音質評価を可能とする音質評価装置を提供する。【構成】ネットワークを介した音声通信の音質評価装置であり、該ネットワークを介して互いに音声通信をなす少なくとも２つの音声通信端末の各々を収容する少なくとも２つの防音室を含む。各防音室は、該音声通信端末の各々に入力信号を送信する入力信号発生装置と、該音声通信端末の各々から出力信号を受信して該出力信号に対する評価結果を出力する評価装置を含む。かかる入力信号の送信、出力信号の受信及び／又は出力信号の評価は制御装置により個別に制御される。【選択図】  図１
2004158963.tif 000002
【特許請求の範囲】
【請求項１】
ネットワークを介した音声通信の音質評価装置であって、
前記ネットワークを介して互いに音声通信をなす少なくとも２つの音声通信端末の各々を収容する少なくとも２つの防音室と、
前記防音室の各々に収容され、前記音声通信端末の各々に入力信号を送信する入力信号発生装置と、
前記防音室の各々に収容され、前記音声通信端末の各々から出力信号を受信して前記出力信号に対する評価結果を出力する評価装置と、
前記入力信号の送信、前記出力信号の受信及び／又は前記出力信号の評価を個別に制御する制御装置と、
を含むことを特徴とする音質評価装置。
【請求項２】
前記入力信号は、基準音声信号、実通話が録音された音声信号又は擬似的に作成された音声データであることを特徴とする請求項１記載の音質評価装置。
【請求項３】
前記評価結果は、ＰＳＱＭ（Ｐｅｒｃｅｐｔｕａｌ  Ｓｐｅｅｃｈ  Ｑｕａｌｉｔｙ  Ｍｅａｓｕｒｅｍｅｎｔ）に基づく評価指標を含むことを特徴とする請求項１又は２記載の音質評価装置。
【請求項４】
前記防音室の各々に収容され、背景雑音信号を前記音声通信端末に送信する少なくとも２つの背景雑音発生装置を更に含み、前記制御装置は、前記背景雑音信号の送信を制御することを特徴とする請求項１乃至３の何れか１記載の音質評価装置。
【請求項５】
前記制御装置は、前記入力信号の音量及び／又前記背景雑音信号の音量を更に個別に制御することを特徴とする請求項１乃至４の何れか１記載の音質評価装置。
【請求項６】
前記ネットワークにおいて音声通信のためのパケットの伝送遅延時間の変動及び／又はパケット欠損を発生せしめて、前記ネットワークの負荷を変更する手段を更に含むことを特徴とする請求項１乃至５の何れか１記載の音質評価装置。
【発明の詳細な説明】
【０００１】
【発明の属する技術分野】
本発明は、例えばインターネットにおけるＶｏＩＰ（Ｖｏｉｃｅ  ｏｖｅｒ  Ｉｎｔｅｒｎｅｔ  Ｐｒｏｔｏｃｏｌ）の如きネットワークを介した音声通信システムに対して音質評価をなす音質評価装置に関する。
【０００２】
【従来の技術】
従来、ネットワークを介した音声通信システムのための音質評価装置の音質評価は、装置に直接電話機を接続して話者の実際の通話を試聴する、あるいは専用の測定器を接続して該測定器から参照用の音声を入力して出力を評価することで実施されていた。
【０００３】
【発明が解決しようとする課題】
しかしながら、従来技術における人間の話者が会話する方法では、発声の音量やタイミングを正確に再現することは困難であり、評価の再現性が乏しいという問題点がある。また、同一の室内にて評価をすることが多く、話者の声が直接、相手側の電話機受音部に漏れ込んでしまい、実際の通話状態とは言えない状態での評価しかできないという問題点もある。
【０００４】
一方、参照用の音声を使用する方法では、測定器から参照用の音声のみを直接入力する為、実際の使用環境では音質に影響を与えるはずの背景雑音は入力されず現実的な音質評価ができないという問題点、更には、ＶｏＩＰの如きパケット通信を利用した音声通信におけるネットワーク負荷の現実的な変動を試験環境に再現できないという問題点がある。
【０００５】
本発明は、上記の問題に鑑みてなされたものであり、その目的は、実使用環境に近く且つ再現性のある試験条件において音質評価を可能とする音質評価装置を提供することである。
【０００６】
【課題を解決するための手段】
本発明による音質評価装置は、ネットワークを介した音声通信の音質評価装置であり、該ネットワークを介して互いに音声通信をなす少なくとも２つの音声通信端末の各々を収容する少なくとも２つの防音室と、該防音室の各々に収容され、該音声通信端末の各々に入力信号を送信する入力信号発生装置と、該防音室の各々に収容され、該音声通信端末の各々から出力信号を受信して該出力信号に対する評価結果を出力する評価装置と、該入力信号の送信、該出力信号の受信及び／又は該出力信号の評価を個別に制御する制御装置と、を含むことを特徴とする。
【０００７】
【実施例】
本発明の実施例について添付の図面を参照して詳細に説明する。
図１は、本発明の実施例であり、音質評価装置１００の全体の概観を示している。音質評価装置１００は、２つの防音室、即ち、Ａ側防音室１０３及びＢ側防音室１０４と、制御室１０５を含む。Ａ側防音室１０３とＢ側防音室１０４との間はＩＰ網１０６により結ばれ、各々の内部に収容されている音声通信端末である評価対象装置間の音声通信を可能とする。Ａ側防音室１０３及びＢ側防音室防音室１０４は、外部音を遮断する部屋であり、１つの防音室を防音壁によって２つの防音室、即ち、Ａ側防音室１０３及びＢ側防音室１０４に分割することにより実現されても良い。
【０００８】
制御室１０５は、その内部に収容された装置により各防音室に収容された装置を制御信号により制御する。そして、制御室１０５は、また、Ａ側防音室１０３とＢ側防音室１０４から評価結果の信号を受信する。
図２は、図１に示される音質評価装置１００の詳細な構成を示している。
Ａ側防音室１０３は、Ａ側入力信号発生装置１１１と、Ａ側評価対象装置１１２と、Ａ側評価装置１１３と、Ａ側背景雑音発生装置１１４とを含む。Ｂ側防音室１０４は、Ｂ側入力信号発生装置１２１と、Ｂ側評価対象装置１２２と、Ｂ側評価装置１２３と、Ｂ側背景雑音発生装置１２４とを含む。制御室１０５は、制御装置１３１と、負荷発生装置１３２と、評価結果記録装置１３３とを含む。ＩＰ網１０６は、Ａ側評価対象装置１１２とＢ側評価対象装置１２２との間に接続される。
【０００９】
Ａ側防音室１０３を参照すると、Ａ側入力信号発生装置１１１は、Ａ側評価対象装置１１２に対して評価用の入力信号を発生して放音する機能を有し、音声を含む入力信号を発生する為の音源を備え、外部からの制御信号により再生、停止及び音量調節の制御を可能とする。Ａ側入力信号発生装置１１１の例としては、テープレコーダー、ＤＡＴプレーヤー、ＣＤプレーヤー、ＭＤプレーヤー、パーソナルコンピュータ（ＰＣ）等の機器が用いられ得る。入力信号、即ち、評価用の入力信号としては、ＩＴＵ−Ｔ等の国際標準化機関が提供する公知の基準音声信号、実通話が録音された音声信号又は擬似的に作成された音声データ信号、或いはその他の適切な評価基準となる信号を使用する。
【００１０】
Ａ側評価対象装置１１２は、音質評価の対象となる音声通信端末であり、例えば、ＩＰ電話等のＶｏＩＰ装置である。Ａ側入力信号発生装置１１１からの入力信号は、防音室１０３に放音された後に室内を音響伝搬した後に音声入力としてＡ側評価対象装置１１２に取り込まれる。尚、直接ケーブルを介して該入力信号が音声入力として取り込まれても良い。
【００１１】
Ａ側評価装置１１３は、Ａ側評価対象装置１１２の出力信号、即ち音声出力を取り込み音質評価を行う機能を有する。音声出力の取り込みは、ケーブルを介してＡ側評価対象装置１１２から取り込まれても、防音室内を伝播して後にマイクロフォン等の手段により取り込まれても良い。音質評価方法としては、ＩＴＵ（Ｉｎｔｅｒｎａｔｉｏｎａｌ  Ｔｅｌｅｃｏｍｍｕｎｉｃａｔｉｏｎ  Ｕｎｉｏｎ）−Ｔ勧告Ｐ．８６１に示されるＰＳＱＭ（Ｐｅｒｃｅｐｔｕａｌ  Ｓｐｅｅｃｈ  Ｑｕａｌｉｔｙ  Ｍｅａｓｕｒｅｍｅｎｔ  ）を用いて音質を評価することが考えられるが、Ａ側評価装置１１３は音質評価できる装置であれば足り、かかる標準規格に基づく評価機能を限定されない。因みに、ＰＳＱＭとは、テレフォニー・ネットワークによって劣化されるスピーチの品質を客観的に評価する手法であり、歪みのタイプの範囲を主観的な品質に関連させ、異なる符号化タイプ及び伝送エラーに主眼をおいたネットワークテストの手法である。ＩＴＵ−Ｔ勧告Ｐ．８６１の定義では、主にスピーチの圧縮、ディジタルスピーチの挿入、パケット化について定義されている。ＰＳＱＭにより得られる結果指標は、０から６．５までの値を与え、０の場合では非常に優れたスピーチの品質であり、６．５では非常に劣ったスピーチ品質を示している。
【００１２】
Ａ側背景雑音発生装置１１４は、Ａ側評価対象装置１１２の周囲の背景雑音を発生する機能を有し、該背景雑音を発生する音源を備え、外部から再生、停止及び音量調節の制御を可能とする。例えば、テープレコーダー、ＤＡＴプレーヤー、ＣＤプレーヤー、ＭＤプレーヤー、或いはパーソナルコンピュータ（ＰＣ）等の機器が用いられ得る。背景雑音としては、オフィスノイズ、環境ノイズ等のノイズを使用することができる。背景雑音は、図示されるように防音室１０３に放音された後にＡ側評価対象装置１１２に音声入力として取り込まれるようにされても、直接ケーブルを介して音声入力としてＡ側評価対象装置１１２に取り込まれても良い。
【００１３】
Ｂ側防音室１０４を参照すると、Ｂ側入力信号発生装置１２１は、Ｂ側評価対象装置１２２に対して評価用の入力信号を発生して放音する機能を有し、音声を含む入力信号を発生する為の音源を備え、外部からの制御信号により再生、停止及び音量調節の制御を可能とする。Ｂ側入力信号発生装置１２１の例としては、テープレコーダー、ＤＡＴプレーヤー、ＣＤプレーヤー、ＭＤプレーヤー、パーソナルコンピュータ（ＰＣ）等の機器が用いられ得る。入力信号、即ち、評価用の入力信号としては、ＩＴＵ−Ｔ等の国際標準化機関が提供する公知の基準音声信号、実通話が録音された音声信号又は擬似的に作成された音声データ信号、或いはその他の適切な評価基準となる信号を使用する。
【００１４】
Ｂ側評価対象装置１２２は、音質評価の対象となる音声通信端末であり、例えば、ＩＰ電話等のＶｏＩＰ装置である。Ｂ側入力信号発生装置１２１からの入力信号は、防音室１０４に放音された後に室内を音響伝搬した後に音声入力としてＢ側評価対象装置１２２に取り込まれる。尚、直接ケーブルを介して該入力信号が音声入力として取り込まれても良い。
【００１５】
Ｂ側評価装置１２３は、Ｂ側評価対象装置１２２の出力信号、即ち音声出力を取り込み音質評価を行う機能を有する。音声出力の取り込みは、ケーブルを介してＢ側評価対象装置１２２から取り込まれても、防音室内を伝播して後にマイクロフォン等の手段により取り込まれても良い。音質評価方法としては、通常、Ａ側評価装置１１３におけるのと同様の方法が取られる。
【００１６】
Ｂ側背景雑音発生装置１２４は、Ｂ側評価対象装置１２２の周囲の背景雑音を発生する機能を有し、該背景雑音を発生する音源を備え、外部から再生、停止及び音量調節の制御を可能とする。例えば、テープレコーダー、ＤＡＴプレーヤー、ＣＤプレーヤー、ＭＤプレーヤー、或いはパーソナルコンピュータ（ＰＣ）等の機器が用いられ得る。背景雑音としては、オフィスノイズ、環境ノイズ等のノイズを使用することができる。背景雑音は、図示されるように防音室１０４に放音された後にＢ側評価対象装置１２２に取り込まれるようにされても、直接ケーブルを介して音声入力としてＢ側評価対象装置１２２に取り込まれて良い。
【００１７】
制御室１０５を参照すると、制御装置１３１は、評価に使用する装置、即ち、Ａ側入力信号発生装置１１１と、Ａ側評価対象装置１１２と、Ａ側評価装置１１３と、Ａ側背景雑音発生装置１１４と、Ｂ側入力信号発生装置１２１と、Ｂ側評価対象装置１２２と、Ｂ側評価装置１２３と、Ｂ側背景雑音発生装置１２４とからなる各装置に対して、信号発生若しくは信号停止の制御信号を発生してこれらを制御する。制御装置１３１は、また、負荷発生装置１３２に対して負荷情報を含む制御信号を送信してそのネットワーク負荷を変動せしめ、評価結果記録装置１３３に対して制御信号によりその動作を制御する。負荷発生装置１３２は、制御装置１３１からの制御信号に応じてＩＰ網１０６に対して任意の負荷を擬似的に与える装置である。評価結果記録装置１３３は、制御装置１３１からの制御信号に応じてＡ側評価装置１１３及びＢ側評価装置１２３において評価された結果を後の結果解析のために記録する装置である。
【００１８】
本実施例において、ＶｏＩＰ装置を評価対象装置として想定している為、Ａ側評価対象装置１１２及びＢ側評価対象装置１２２をＩＰ網１０６を介して接続しているが、評価対象装置がＶｏＩＰ装置以外の通常の電話器の場合には、Ａ側評価対象装置１１２及びＢ側評価対象装置１２２との接続には電話回線等の通常の回線が選択され得る。
【００１９】
図２を参照して、第１実施例における音質評価装置１００における制御の流れを説明する。尚、この制御の順序は例示でありかかる順序に本発明は限定されない。
制御装置１３１は、評価結果記録装置１３３に、評価結果記録開始信号ｓｔａｒｔ＿ｓａｖｅを送信して記録動作を開始せしめる。制御装置は１３１は、次いで、Ａ側評価装置１１３に、評価開始信号ｓｔａｒｔ＿ｍｅａｓを送信する。この該評価開始信号ｓｔａｒｔ＿ｍｅａｓを受信したＡ側評価装置１１３は、音質評価動作を開始し、Ａ側評価結果ｍｅａｓｕｒｅ＿Ａを評価結果記録装置１３３へ逐次報告する。Ａ側評価結果ｍｅａｓｕｒｅ＿Ａは、前述のＰＳＱＭ値を使用する。
【００２０】
次いで、制御装置１３１は、Ｂ側評価装置１２３に、評価開始信号ｓｔａｒｔ＿ｍｅａｓを送信する。この評価開始信号を受信したＢ側評価装置１２３は、音質評価動作を開始し、Ｂ側評価結果ｍｅａｓｕｒｅ＿Ｂを評価結果記録装置１３３へ逐次報告する。Ｂ側評価結果ｍｅａｓｕｒｅ＿Ｂは、Ａ側評価結果ｍｅａｓｕｒｅ＿Ａと同様にＰＳＱＭ値を使用する。尚、Ａ側評価結果ｍｅａｓｕｒｅ＿Ａ及びＢ側評価結果ｍｅａｓｕｒｅ＿Ｂは、音質評価値そのものでも良く、更に必要に応じて付加情報を加えても良い。
【００２１】
評価結果記録装置１３３は、Ａ側評価結果ｍｅａｓｕｒｅ＿Ａ及びＢ側評価結果ｍｅａｓｕｒｅ＿Ｂを、メモリ、ディスク等の記憶媒体に記録する。
次に、制御装置１３１は、Ａ側背景雑音発生装置１１４及びＢ側背景雑音発生装置１２４に背景雑音発生信号ｓｔａｒｔ＿ｎｏｉｓｅを各々送信する。該背景雑音発生信号を受信したＡ側背景雑音発生装置１１４及びＢ側背景雑音発生装置１２４は、背景雑音をＡ側背景雑音ｎｏｉｓｅ＿Ａ及びＢ側背景雑音ｎｏｉｓｅ＿Ｂとして各々発生し、Ａ側防音室１０３内にＡ側背景雑音ｎｏｉｓｅ＿ＡをＢ側防音室１０４内にＢ側背景雑音ｎｏｉｓｅ＿Ｂを各々放音する。尚、背景雑音を送信しない無雑音状態において、音質評価を行うことも可能である。
【００２２】
次に、制御装置１３１は、Ａ側評価対象装置１１２及びＢ側評価対象装置１２２に呼接続信号ｃｔｒｌ＿ｃｏｎｅｃｔを送信する。これにより、Ａ側評価対象装置１１２とＢ側評価対象装置１２２とはＩＰ網１０６を介して接続状態となる。
次に、制御装置１３１は、Ａ側入力信号発生装置１１１に入力信号発生信号ｓｔａｒｔ＿ｓｉｇｎａｌを送信する。該入力信号発生信号ｓｔａｒｔ＿ｓｉｇｎａｌを受信したＡ側入力信号発生装置１１１は、評価用の入力信号をＡ側入力信号ｓｉｇｎａｌ＿Ａとして発生し、Ａ側背景雑音ｎｏｉｓｅ＿Ａと共に音声入力としてＡ側評価対象装置１１２へ入力する。次いで、制御装置１３１は、Ｂ側入力信号発生装置１２１に入力信号発生信号ｓｔａｒｔ＿ｓｉｇｎａｌを送信する。入力信号発生信号ｓｔａｒｔ＿ｓｉｇｎａｌを受信したＢ側入力信号発生装置１２１は、評価用の入力信号をＢ側入力信号ｓｉｇｎａｌ＿Ｂとして発生し、Ｂ側背景雑音ｎｏｉｓｅ＿Ｂと共に音声入力としてＢ側評価対象装置１２２へ入力する。これにより、Ａ側評価対象装置１１２とＢ側評価対象装置１２２との間では、通話中の会話が擬似的に再現される。
【００２３】
評価を終了するには以下の手順を行うことより、任意のタイミングで評価を終了することができる。先ず、制御装置１３１は、Ａ側入力信号発生装置１１１に入力信号停止信号ｓｔｏｐ＿ｓｉｇｎａｌを送信する。この入力信号停止信号ｓｔｏｐ＿ｓｉｇｎａｌに応じて、Ａ側入力信号発生装置１１１は、Ａ側入力信号ｓｉｇｎａｌ＿Ａの発生を停止する。次いで、Ａ側評価対象装置１１２に呼切断信号ｃｔｒｌ＿ｄｉｓｃｏｎｅｃｔを送信することで、Ａ側評価対象装置１１２の内線通話は切断され、更に、Ａ側背景雑音発生装置１１４に背景雑音停止信号ｓｔｏｐ＿ｎｏｉｓｅを送信することで、Ａ側背景雑音発生装置１１４は、Ａ側背景雑音ｎｏｉｓｅ＿Ａの発生を停止する。更に、制御装置１３１は、Ａ側評価装置１１３に評価停止信号ｓｔｏｐ＿ｍｅａｓを送信することで、Ａ側評価装置１１３は音質評価動作を停止する。Ｂ側防音質の各装置に対して同様の手順により動作を停止せしめる。制御装置１３１は、また、評価結果記録装置１３３に評価結果記録停止信号ｓｔｏｐ＿ｓａｖｅを送信し、評価結果記録装置１３３は評価結果の記録動作を停止する。
【００２４】
尚、前述の評価動作中において、制御装置１３１は負荷発生装置１３２に負荷率等の指定情報を含む負荷情報ｃｔｒｌ＿ｔｒａｆを送信してＩＰ網１０６上の負荷を制御しても良い。この場合には、負荷発生装置１３２は、該負荷情報ｃｔｒｌ＿ｔｒａｆに基づきダミーのパケットを送信してＩＰ網１０６のネットワーク負荷を高める。以上のように第１実施例において、防音室が用いられることにより、通信をなす２つの端末間の音の漏話が防止され、実際の通話状態と同じ状態を再現できる。また、ＩＰ網の負荷を任意に設定できるので、端末の性能が与える音質への影響とパケット遅延或いはパケット欠損に起因する音質への影響とを完全に区別して評価できる。
【００２５】
更に、話者の音声と背景雑音を、全く別々の設定として入力するので、様々な使用形態での電話使用者の状態を容易に再現することができる。評価用の入力信号及び背景雑音の発生とが制御装置により集中管理されることから、その発生タイミングを任意に設定或いは順序立てて再現することができるので、結果としての評価値には定量的な音質評価に必要な再現性が保証される。又、Ａ側入力信号発生装置及び／又はＢ側入力信号発生装置をテープレコーダ等の実音声を再生可能な装置とすることで、実音声を用いた評価も可能である。
＜第２実施例＞
図３は、第２実施例であり、音質評価装置１００の詳細の構成を示している。
【００２６】
本第２実施例は、第１実施例に示した構成における制御装置１３１に、背景雑音ｎｏｉｓｅ＿Ａ，ｎｏｉｓｅ＿Ｂ及び入力信号ｓｉｇｎａｌ＿Ａ，ｓｉｇｎａｌ＿Ｂの音量を調節するための制御信号を発生する機能が付加される。その他の構成は、第１実施例のおける場合と同様であるので説明を省略する。
図３を参照して、第２実施例における音質評価装置１００の動作を説明する。尚、この制御の順序は例示でありかかる順序に本発明は限定されない。
【００２７】
制御装置１３１は、Ａ側背景雑音発生装置１１４に、音量指定情報を含む背景雑音音量調節信号ｃｔｒｌ＿ｎｏｉｓｅを送信する。この背景雑音音量調節信号ｃｔｒｌ＿ｎｏｉｓｅに基づきＡ側背景雑音発生装置１１４は、Ａ側背景雑音ｎｏｉｓｅ＿Ａの発生音量を調節する。次いで又は同時に、制御装置１３１は、Ｂ側背景雑音発生装置１２４に、音量指定情報を含む背景雑音音量調節信号ｃｔｒｌ＿ｎｏｉｓｅを送信する。この背景雑音音量調節信号ｃｔｒｌ＿ｎｏｉｓｅに基づきＢ側背景雑音発生装置１２４は、Ｂ側背景雑音ｎｏｉｓｅ＿Ｂの発生音量を調節する。
【００２８】
また、制御装置１３１は、Ａ側入力信号発生装置１１１に音量指定情報を含む入力信号音量調節信号ｃｔｒｌ＿ｓｉｇｎａｌを送信する。この入力信号音量調節信号ｃｔｒｌ＿ｓｉｇｎａｌに基づきＡ側入力信号発生装置１１１は、Ａ側入力信号ｓｉｇｎａｌ＿Ａの発生音量を調節する。次いで又は同時に、制御装置１３１は、Ｂ側入力信号発生装置１２１に音量指定情報を含む入力信号音量調節信号ｃｔｒｌ＿ｓｉｇｎａｌを送信する。この入力信号音量調節信号ｃｔｒｌ＿ｓｉｇｎａｌに基づきＢ側入力信号発生装置１２１は、Ｂ側入力信号ｓｉｇｎａｌ＿Ｂの発生音量を調節する。
【００２９】
図４は、図３に示される制御装置１１３が実行する制御例のタイムチャートを示している。このタイムチャートに示されるように、図３の制御装置１１３は、各装置を制御する。例えば、記録結果記録開始信号ｓｔａｒｔ＿ｓａｖｅに応じて、評価結果記録装置１３３は動作を開始し記録結果記録停止信号ｓｔｏｐ＿ｓａｖｅに応じて動作を終了する。評価開始信号ｓｔａｒｔ＿ｍｅａｓに応じて、評価装置１１３、１２３は動作を開始し評価停止信号ｓｔｏｐ＿ｍｅａｓに応じて動作を終了する。背景雑音発生信号ｓｔａｒｔ＿ｎｏｉｓｅに応じて、背景雑音発生装置１１４、１２４は、背景雑音の発生を開始し、背景雑音音量調整信号ｃｔｒｌ＿ｎｏｉｓｅに応じてその音量を変更し、背景雑音停止信号ｓｔｏｐ＿ｎｏｉｓｅに応じてその発生を停止する。呼接続信号ｃｔｒｌ＿ｃｏｎｅｃｔに応じて、評価対象装置１１２、１２２はＩＰ網１０６に呼接続を確立し、呼切断信号ｃｔｒｌ＿ｄｉｓｃｏｎｅｃｔに応じて呼を切断する。また、ネットワーク負荷調整信号ｃｔｒｌ＿ｔｒａｆに応じて、負荷発生装置１３２は、ネットワークの負荷を変更せしめる。入力信号発生信号ｓｔａｒｔ＿ｓｉｇｎａｌに応じて、入力信号発生装置１１１、１２１は入力信号の発生を開始し、入力信号音量調整信号ｃｔｒｌ＿ｓｉｇｎａｌに応じてその音量を調整し、入力信号停止信号ｓｔｏｐ＿ｓｉｇｎａｌに応じて入力信号の発生を停止する。本図における制御装置１３１の制御の順序は例示のものであり、多様な順序により多様な音質評価条件が設定され得る。
【００３０】
以上のように、本第２実施例においては、背景雑音及び入力信号を、任意の音量に任意のタイミングで制御できることから、評価環境、例えばノイズ対信号比、音声レベル等の評価項目について実使用状態に則した環境にすることができ、従来では再現、測定が非常に困難であった実使用状態での評価を容易に実施できる。
＜第３の実施例＞
図５は、本発明の第３の実施例における音質評価装置１００の詳細な構成を示している。Ａ側防音室１０３は、第１の実施例におけると同様にＡ側入力信号発生装置１１１と、Ａ側評価対象装置１１２と、Ａ側評価装置１１３と、Ａ側背景雑音発生装置１１４とを含む。第３の実施例においては、Ａ側評価対象装置１１２は、ＩＰ網１０６と接続されてＶｏＩＰによる電話通信を可能とするＶｏＩＰゲートウェイ１１７と、ＶｏＩＰゲートウェイ１１７に接続されて電話通信信号を交換するＰＢＸ１１９と、ＰＢＸ１１９に各々接続されてチャネル間で内線通話を可能とする複数のボタン電話機１１８ａ乃至１１８ｃを含む。複数のボタン電話機１１８ａ乃至１１８ｃの各々は、入力信号発生装置１１１からの評価用の入力信号ｓｉｇｎａｌ＿Ａ及び背景雑音ｎｏｉｓｅ＿Ａが音声入力として入力され、それらからの音声出力ｍｅａｓｕｒｅ＿Ａは評価装置１１３に取り込まれる。尚、図５においては、３つのボタン電話１１８ａ乃至１１８ｃが示されているが、かかる台数は例示であり多数の電話器で有り得る。
【００３１】
図５を参照して、第３実施例における音質評価装置１００の動作を説明する。尚、この制御の順序は例示でありかかる順序に本発明は限定されない。
制御装置１３１は、評価結果記録装置１３３及びＡ側評価装置１１３の各々の動作を制御信号を用いて開始せしめる。又、制御装置１３１は、Ａ側背景雑音発生装置１１４を制御信号を用いて動作せしめて背景雑音ｎｏｉｓｅ＿Ａを発生させても良く、若しくは背景雑音ｎｏｉｓｅ＿Ａを送信しない無雑音状態でも良い。
【００３２】
次に、制御装置１３１は、Ａ側評価対象装置１１２に呼接続信号ｃｔｒｌ＿ｃｏｎｅｃｔを送信する。この呼接続信号ｃｔｒｌ＿ｃｏｎｅｃｔに応じてＡ側評価対象装置１１２のボタン電話１１８ａ乃至１１８ｃの何れか２つのボタン電話間、例えば、ボタン電話１１８ａとボタン電話１１８ｂとの間で内線状態の接続を確立する。そして、制御装置１３１は、Ａ側入力信号発生装置１１１に入力信号発生信号ｓｔａｒｔ＿ｓｉｇｎａｌを送信する。この入力信号発生信号ｓｔａｒｔ＿ｓｉｇｎａｌに応じて、Ａ側入力信号発生装置１１１は、評価用の信号をＡ側入力信号ｓｉｇｎａｌ＿Ａとして発生し、Ａ側評価対象装置１１２のボタン電話１１８ａ及び１１８ｂに各々入力する。評価用の信号は、内線通話で使用するチャネル毎にそれぞれ別のものを使用しても良いし同一のものを使用しても良い。以上の動作により、Ａ側評価対象装置１１２には内線通話中の擬似的な会話が記録される。
【００３３】
以上のように、第３実施例においては、ＶｏＩＰゲートウェイ１１７により電話通信路が折り返されることからＩＰネットワークの影響を無視でき、音声通信端末そのものの音質を再現性のある条件で評価できる。
尚、第１実施例乃至第２実施例はＶｏＩＰ装置を評価の対象としたが、これら実施例におけるＩＰ網１０６を通常の電話回線に変更すれば、本発明による音質評価装置は、固定電話、携帯電話等、他の音声通信システムの音質評価にも適用可能である。
また、第１実施例及び第２実施例においては、防音室を２つとし２つの端末間の通信について評価する方法を説明したが、防音室及び防音室内の各装置を３組以上複数組準備すれば、３端末以上の複数の端末間の同時通信についての音質評価にも本発明は適用可能である。尚、本開示における防音室とは、人間が出入りできることを要せず、防音遮蔽されて必要な装置が設置可能な空間であれば良い。
【００３４】
【発明の効果】
以上のように、本発明による音質評価装置により、防音された試験環境において背景雑音を加味でき、更にはネットワーク負荷を与えることより実使用環境に近い試験環境が提供される。また、評価対象及び評価のための各装置が制御装置により一括して集中制御されることから再現性のある試験条件において音質評価が可能となる。
【図面の簡単な説明】
【図１】本発明の実施例であり、音質評価装置の外観を示している斜視図である。
【図２】本発明の第１実施例であり、音声評価装置の詳細な構成を示しているブロック図である。
【図３】本発明の第２実施例であり、音声評価装置の詳細な構成を示しているブロック図である。
【図４】図３に示される制御装置１１３が実行する制御例のタイムチャートである。
【図５】本発明の第３実施例であり、音声評価装置の詳細な構成を示しているブロック図である。
【符号の説明】
１００  音声評価装置
１０３  Ａ側防音室
１０４  Ｂ側防音室
１０５  制御室
１０６  ＩＰ網
１１１、１２１  入力信号発生装置
１１２、１２２  評価対象装置
１１３、１２３  評価装置
１１４、１２４  背景雑音発生装置
１１５、１１６  音量調節部
１１７  ＶｏＩＰゲートウェイ
１１８ａ乃至１１８ｃ  ボタン電話器
１１９  ＰＢＸ
１３１  制御装置
１３２  負荷発生装置
１３３  評価結果記憶装置
【図１】
2004158963.tif 000003
【図２】
2004158963.tif 000004
【図３】
2004158963.tif 000005
【図４】
2004158963.tif 000006
【図５】
2004158963.tif 000007